(57)【要約】【課題】  本発明はインレットに関し、電源ユニットに電源ケーブルが接続された状態で、電源ユニットを装置本体から抜去できないインレットを提供することを目的とする。【解決手段】  請求項１に係る発明は、電気・電子装置等の装置本体に設けられた電源スロットから抜去自在な電源ユニットに装着され、電源ケーブルのプラグが接続されるインレットに於て、前記インレットのケーシングに、前記プラグの接続で外方へ突出して、電源スロット周縁の装置本体の内周に掛止するロック手段を設けたことを特徴とする。  そして、請求項２に係る発明は、請求項１に記載のインレットに於て、前記ロック手段は、インレットのケーシングに軸着された断面Ｌ字状のロックプレートからなり、その一片はインレットのケーシングに当接して該ケーシングと面一に保持され、他片はプラグが当接可能に内方へ突出していることを特徴とする。【選択図】    図３
2008226756.tif 000002
【特許請求の範囲】
【請求項１】
電気・電子装置等の装置本体に設けられた電源スロットから抜去自在な電源ユニットに取り付き、電源ケーブルのプラグが接続されるインレットに於て、
前記インレットのケーシングに、前記プラグの接続で外方へ突出して、電源スロット周縁の装置本体の内周に掛止するロック手段を設けたことを特徴とするインレット。
【請求項２】
前記ロック手段は、インレットのケーシングに軸着された断面Ｌ字状のロックプレートからなり、その一片はインレットのケーシングに当接して該ケーシングと面一に保持され、他片はプラグが当接可能に内方へ突出していることを特徴とする請求項１に記載のインレット。
【請求項３】
前記ロックプレートの他片のプラグ当接側に、弾性部材が取り付けられていることを特徴とする請求項２に記載のインレット。
【請求項４】
前記ロックプレートの他片のプラグ当接側に、弾性片が突出していることを特徴とする請求項２に記載のインレット。
【請求項５】
前記弾性片は、ロックプレートの他片に切り込みを入れてこれを打ち起こして形成されていることを特徴とする請求項４に記載のインレット。
【請求項６】
前記ロック手段は、インレットのケーシングに切れ込みを入れて形成したロックプレートからなり、該ロックプレートはその基部に屈曲用の凹部が形成されると共に、その裏面側に、接続されるプラグが当接する突片が内方へ突設されていることを特徴とする請求項１に記載のインレット。
【請求項７】
前記ロックプレートの突片のプラグ当接側に、弾性部材が取り付けられていることを特徴とする請求項６に記載のインレット。
【請求項８】
前記ロックプレートの突片のプラグ当接側に、弾性片が突出していることを特徴とする請求項６に記載のインレット。
【請求項９】
前記弾性片は、ロックプレートの突片に切れ込みを入れて該突片に一体的に形成されていることを特徴とする請求項８に記載のインレット。
【発明の詳細な説明】
【技術分野】
【０００１】
本発明は電源ユニットに装着されるインレットに係り、詳しくは安全な電源ユニットの保守，点検作業を可能としたインレットに関する。
【背景技術】
【０００２】
現代のＩＴインフラを支える様々な通信装置は一度運用に入ってしまうと、電源を入れたまま２４時間連続運転し続けなければならない。
このため、図８に示すように通信装置１は、障害，保守対応に備えて取り外し可能な電源ユニット３を複数具備している場合が多く、このように複数の電源ユニット３を具備することで、一方の電源ユニット３の稼働中に他方の電源ユニット３の保守，点検が可能となる。
【０００３】
そして、供給する電力にもよるが、ＡＣ１００Ｖの電力を供給する場合、図８の如く電源ユニット３に直接インレット５を装着し、該インレット５に電源ケーブル７のプラグ９を接続するタイプが存在している。
しかし、この構造は、電源ケーブル７が接続されたまま（給電されたまま）電源ユニット３を装置本体１ａから引き抜くことが可能であるため、電源ユニット３の保守，点検作業を行う場合に、電源ユニット３に電源ケーブル７が接続されたまま（給電されたまま）電源ユニット３を装置本体１ａから引き抜くと、電源ユニット３の裏面側に露出する部品端子が装置本体１ａと干渉してショートしてしまう虞がある。
【０００４】
従って、安全な電源ユニット３の保守，点検のために装置本体１ａから引き抜く電源ユニット３への電力供給を停止する必要があり、このため、作業を行う前に電源ユニット３から電源ケーブル７を引き抜いておく必要があるが、従来、この種の課題に対し、何ら対策が講じられていないのが実情であった。
尚、特許文献１，２には、電気・電子装置等に接続した電源ケーブルのプラグの抜け防止を図ったコンセントとプラグやプラグ固定体等が開示されている。
【特許文献１】特開２００３−１４２２０２号公報
【特許文献２】特開２００５−３４７０７９号公報
【発明の開示】
【発明が解決しようとする課題】
【０００５】
而して、特許文献１，２に開示された従来例によれば、装置の稼働中の不用意なプラグの抜去を防止して内部機器の損傷を防ぐことは可能であるが、これらの従来例は、あくまで装置の稼働中に電源ケーブル（プラグ）が抜けてしまうのを防止するためのものである。
このため、これらの従来例を用いても、電源ユニットの保守，点検作業を行う際に、電源ユニットに電源ケーブルが接続されたまま電源ユニットを装置本体から引き抜いてしまう不具合を解決することはできなかった。
【０００６】
本発明は斯かる実情に鑑み案出されたもので、電源ユニットに電源ケーブルが接続された状態で、電源ユニットを装置本体から抜去することのできないインレットを提供することを目的とする。
【課題を解決するための手段】
【０００７】
斯かる目的を達成するため、請求項１に係る発明は、電気・電子装置等の装置本体に設けられた電源スロットから抜去自在な電源ユニットに装着され、電源ケーブルのプラグが接続されるインレットに於て、前記インレットのケーシングに、前記プラグの接続で外方へ突出して、電源スロット周縁の装置本体の内周に掛止するロック手段を設けたことを特徴とする。
【０００８】
そして、請求項２に係る発明は、請求項１に記載のインレットに於て、前記ロック手段は、インレットのケーシングに軸着された断面Ｌ字状のロックプレートからなり、その一片はインレットのケーシングに当接して該ケーシングと面一に保持され、他片はプラグが当接可能に内方へ突出していることを特徴とする。
また、請求項３に係る発明は、請求項２に記載のインレットに於て、前記ロックプレートの他片のプラグ当接側に、弾性部材が取り付けられていることを特徴とし、請求項４に係る発明は、請求項２に記載のインレットに於て、前記ロックプレートの他片のプラグ当接側に、弾性片が突出していることを特徴とする。
【０００９】
更に、請求項５に係る発明は、請求項４に記載のインレットに於て、前記弾性片は、ロックプレートの他片に切り込みを入れてこれを打ち起こして形成されていることを特徴とする。
一方、請求項６に係る発明は、請求項１に記載のインレットに於て、前記ロック手段は、インレットのケーシングに切れ込みを入れて形成したロックプレートからなり、該ロックプレートはその基部に屈曲用の凹部が形成されると共に、その裏面側に、接続されるプラグが当接する突片が内方へ突設されていることを特徴とする。
【００１０】
また、請求項７に係る発明は、請求項６に記載の  に於て、前記ロックプレートの突片のプラグ当接側に、弾性部材が取り付けられていることを特徴とする。
そして、請求項８に係る発明は、請求項６に記載のインレットに於て、前記ロックプレートの突片のプラグ当接側に、弾性片が突出していることを特徴とし、請求項９に係る発明は、請求項８に記載のインレットに於て、前記弾性片は、ロックプレートの突片に切れ込みを入れて該突片に一体的に形成されていることを特徴としている。
【発明の効果】
【００１１】
各請求項に係る発明によれば、作業者の不注意で電源ケーブルの抜去を忘れて事故を招くことがなくなり、また、抜去時に電源ユニットと装置本体（電源スロット）がたとえ干渉したとしてもショートすることがなく、電源ユニットの安全な保守，点検作業が可能となった。
そして、請求項３乃至請求項５及び請求項７乃至請求項９に係る発明によれば、装置本体の肉厚の差異を吸収することができる利点を有する。
【発明を実施するための最良の形態】
【００１２】
以下、本発明の実施形態を図面に基づいて詳細に説明する。
図１乃至図４は請求項１及び請求項２に係る発明の一実施形態を示し、図中、１１は図８の通信装置１と同様、障害，保守対応に備えて取り外し可能な電源ユニット１３を複数具備した通信装置で、電源ユニット１３は多くの部品が実装されたプリント基板１５と、該プリント基板１５に取り付くインレット１７とで構成されている。尚、図では１つの電源ユニット１３のみを図示している。
【００１３】
そして、電源ユニット１３は、夫々、装置本体１１ａ内に電源スロット１９から抜去可能に装着されているが、既述したようにインレット１７に電源ケーブル２１のプラグ２３が接続されたまま（給電されたまま）電源ユニット１３を装置本体１１ａから引き抜いてしまうと、電源ユニット１３の裏面側に露出する部品端子が装置本体１１ａ（電源スロット１９）と干渉してショートしてしまう虞がある。
【００１４】
そこで、本実施形態は、前記インレット１７にロックプレート（ロック手段）２５を組み付けて前記不具合を解決したもので、図１乃至図４に示すようにロックプレート２５は断面Ｌ字状に形成され、その角部がロックプレート２５の回動中心となるように、該角部が、インレット１７のケーシング２７に設けた平面視矩形状の開口部２９の周縁部に割りピン３１等で軸着されている。
【００１５】
図２に示すようにインレット１７は、従来のインレットと外形形状を同じくし、前記開口部２９にロックプレート２５を軸着した点のみ構成を異にしている。
既述したようにロックプレート２５は断面Ｌ字状に形成されており、その一片３３の先端に設けた傾斜面３５が開口部２９側の周縁部に設けた傾斜面３７に当接することで、該一片３３がケーシング２７と面一になって開口部２９を閉塞するようになっている。そして、図１及び図２に示すようにこの状態で、ロックプレート２５の他片３９はケーシング２７の内方へ突出している。
【００１６】
そして、図３に示すようにインレット１７内に電源ケーブル２１のプラグ２３を挿入すると、該プラグ２３がロックプレート２５の他片３９に当接してこれを押圧し乍ら、割りピン３１を回動中心に該ロックプレート２５を矢印方向へ回動させるようになっている。そして、図４の如くプラグ２３が完全にインレット１７に差し込まれると、プラグ２３の外周にロックプレート２５の他片３９が当接して、ロックプレート２５の一片３３が電源スロット１９周縁の装置本体１１ａの内周に掛止するようになっている。
【００１７】
このため、図４の如くプラグ２３（電源ケーブル２１）がインレット１７に差し込まれた状態で電源ユニット１３を電源スロット１９（装置本体１１ａ）から引き抜こうとしても、ロックプレート２５が電源ユニット１３をロックして引き抜くことができない。
その他、図１に於て、４１は電源ユニット１３の前面プレートである。
本実施形態はこのように構成されているから、各電源ユニット１３を装置本体１１ａ内に装着するに当たり、図１の如くロックプレート２５の一片３３の傾斜面３５を開口部２９側の傾斜面３７に当接させて、該一片３３をケーシング２７と面一にしておけばよい。
【００１８】
そして、装置本体１１ａ内への装着後、各電源ユニット１３のインレット１７に電源ケーブル２１のプラグ２３を接続して電源を入れればよく、図３に示すようにインレット１７内にプラグ２３を挿入すると、該プラグ２３がロックプレート２５の他片３９に当接してこれを押圧し乍ら、割りピン３１を回動中心に該ロックプレート２５を矢印方向へ回動させる。そして、図４の如くプラグ２３が完全にインレット１７に差し込まれると、プラグ２３の外周にロックプレート２５の他片３９が当接して、ロックプレート２５の一片３３が電源スロット１９周縁の装置本体１１ａの内周に掛止することとなる。
【００１９】
このため、長期に亘る使用等で何れかの電源ユニット１３の保守，点検作業を行う場合に、作業者が不注意で電源ケーブル２１の抜去を忘れ、電源ユニット１３に電源ケーブル７が接続された（給電された）ままこれを装置本体１１ａから引き抜こうとしても、ロックプレート２５が電源ユニット１３をロックして引き抜くことができず、作業者は電源ケーブル２１の抜去を忘れていることに気が付く。
【００２０】
そして、作業者が電源ケーブル２１を引き抜けば、図１の如くロックプレート２５と装置本体１１ａとのロック状態が解除されるため、電力供給が停止された電源ユニット１３を電源スロット１９から引き抜くことができるようになっている。
このように本実施形態は、電源ケーブル２１のプラグ２３が電源ユニット１３のインレット１７に接続された状態では、電源ユニット１３を装置本体１１ａから引き抜くことができないように構成したので、本実施形態によれば、作業者の不注意で電源ケーブル２１の抜去を忘れて事故を招くことがなくなり、また、抜去時に電源ユニット１３と装置本体１１ａ（電源スロット１９）がたとえ干渉したとしてもショートすることがなく、電源ユニット１３の安全な保守，点検作業が可能となった。
【００２１】
図５は請求項１乃至請求項３に係る発明の一実施形態を示し、本実施形態は、図１の実施形態の構成に加え、電源ケーブル２１のプラグ２３が当接するロックプレート２５の他片３９の当接面に、ゴム等の弾性部材４３を貼着したものである。
即ち、例えば、前記通信装置１１よりも装置本体１１ａ-1の肉厚が薄い通信装置１１-1に前記電源ユニット１３を装着した場合、プラグ２３をインレット１７に差し込んでロックプレート２５の一片３３が図５の如く矢印方向へ起立しても、装置本体１１ａ-1の肉厚が薄いために電源スロット１９周縁の装置本体１１ａ-1と該一片３３との間に間隙が空いてしまい、揺動する一片３３との衝突で装置本体１１ａ-1から異音が発生してしまう虞がある。
【００２２】
そこで、既述したように本実施形態は、プラグ２３が当接するロックプレート２５の他片３９の当接面に弾性部材４３を貼着したもので、この構造によれば、インレット１７に差し込んだプラグ２３が弾性部材４３を圧縮し乍ら、ロックプレート２５の一片３３を電源スロット１９周縁の装置本体１１ａ-1の内周に圧接させて、異音の発生を防止する。
従って、本実施形態によれば、前記実施形態と同様の作用効果に加え、装置本体１１ａ-1の肉厚の差異を吸収することができる利点を有する。
【００２３】
図６は請求項１，請求項２，請求項４及び請求項５に係る発明の一実施形態を示し、本実施形態は、前記弾性部材４３に代え、プラグ２３が当接するロックプレート２５-1の他片３９-1の当接面に弾性片４５を突出させたもので、該弾性片４５は、他片３９-1に平面視コ字状の切り込みを入れてこれをプラグ２３側へ打ち起こして形成されている。
尚、ロックプレート２５-1の他片３９-1の当接面に、別途板バネ等で形成された弾性片を取り付けてもよい。
【００２４】
そして、その他の構成は図１の実施形態と同様であるので、同一のものには同一符号を付してそれらの説明は省略する。
而して、本実施形態によれば、インレット１７-1に差し込んだプラグ２３が弾性片４５を押圧し乍ら、ロックプレート２５-1の一片３３を電源スロット１９周縁の装置本体１１ａ-1の内周に圧接させる。
【００２５】
従って、本実施形態によっても、図５の実施形態と同様、安全な電源ユニット１３の保守，点検作業ができると共に、装置本体１１ａ-1の肉厚の差異を吸収することができる利点を有する。
図７は請求項１及び請求項６に係る発明の一実施形態を示し、本実施形態は、図１の断面Ｌ字状のロックプレート２５に代え、インレット１７-2のケーシング２７-1の上部に、平面視コ字状の切れ込み４６を入れてロックプレート（ロック手段）４７を矢印方向へ屈曲可能に形成したもので、図示するようにロックプレート４７はその基部の表裏に屈曲用の凹部４９が形成されると共に、その裏面側に、プラグ２３が当接する突片５１が内方へ突設されている。
【００２６】
そして、図示するようにインレット１７-2にプラグ２３を挿入すると、該プラグ２３がロックプレート４７の突片５１に当接してこれを押圧し乍ら、前記凹部４９を回動中心に該ロックプレート４７を矢印方向へ回動させるようになっている。そして、プラグ２３が完全にインレット１７-2に差し込まれると、図１の実施形態と同様、プラグ２３の外周にロックプレート４７の突片５１が当接して、ロックプレート４７が電源スロット１９周縁の装置本体１１ａの内周に掛止するようになっている。
【００２７】
そして、プラグ２３を引き抜くと、ロックプレート４７は図７の実線で示すようにケーシング２７-1と面一の状態に戻るようになっている。
尚、その他の構成は図１の実施形態と同様であるので、同一のものには同一符号を付してそれらの説明は省略する。
本実施形態はこのように構成されているから、電源ユニット１３を装置本体１１ａ内に装着した後、各電源ユニット１３のインレット１７-2にプラグ２３を接続すると、図７に示すようにプラグ２３がロックプレート４７の突片５１に当接してこれを押圧し乍ら、凹部４９を回動中心に該ロックプレート４７を矢印方向へ回動させる。そして、プラグ２３が完全にインレット１７-2に差し込まれると、プラグ２３の外周にロックプレート４７の突片５１が当接して、ロックプレート４７が電源スロット１９周縁の装置本体１１ａの内周に掛止する。
【００２８】
このため、電源ユニット１３の保守，点検作業を行う場合に、作業者が不注意で電源ケーブル２１の抜去を忘れて、電源ユニット１３に電源ケーブル７が接続された（給電された）まま電源ユニット１３を装置本体１ａから引き抜こうとしても、ロックプレート４７が電源ユニット１３をロックして引き抜くことができない。
そこで、作業者は電源ケーブル２１の抜去を忘れていることに気が付き、電源ケーブル２１を引き抜けば、ロックプレート４７と装置本体１１ａとのロック状態が解除されて、電力供給が停止された電源ユニット１３を電源スロット１９から引き抜くことができる。
【００２９】
従って、本実施形態によっても、既述した各本実施形態と同様、安全な電源ユニット１３の保守，点検作業が可能となった。
尚、図示しないが前記ロックプレート４７の突片５１に図５の如き弾性部材４３を貼着したり、或いは該突片５１に図６の如き弾性片４５を設けてもよい。
而して、これらの請求項１，請求項６及び請求項７の実施形態、並びに請求項１，請求項６，請求項８及び請求項９の実施形態によっても、図５及び図６の実施形態と同様、所期の目的を達成することが可能である。
【図面の簡単な説明】
【００３０】
【図１】請求項１及び請求項２の一実施形態に係るインレットを備えた電源ユニットと、通信装置の要部断面図である。
【図２】インレットの全体斜視図である。
【図３】請求項１及び請求項２の一実施形態に係るインレットを備えた電源ユニットと、通信装置の要部断面図である。
【図４】請求項１及び請求項２の一実施形態に係るインレットを備えた電源ユニットと、通信装置の要部断面図である。
【図５】請求項１乃至請求項３の一実施形態に係るインレットを備えた電源ユニットと、通信装置の要部断面図である。
【図６】請求項１，請求項２，請求項４及び請求項５の一実施形態に係るインレットを備えた電源ユニットと、通信装置の要部断面図である。
【図７】請求項１及び請求項６の一実施形態に係るインレットを備えた電源ユニットと、通信装置の要部断面図である。
【図８】従来の電源ユニットを備えた通信装置の全体斜視図である。
【符号の説明】
【００３１】
１１，１１-1  通信装置
１１ａ，１１ａ-1  装置本体
１３  電源ユニット
１５  プリント基板
１７，１７-1，１７-2  インレット
１９  電源スロット
２１  電源ケーブル
２３  プラグ
２５，２５-1，４７  ロックプレート
２７，２７-1  ケーシング
２９  開口部
３１  割りピン
３３  一片
３５，３７  傾斜面
３９  他片
４３  弾性部材
４５  弾性片
４６  切れ込み
４９  凹部
５１  突片
【図１】
2008226756.tif 000003
【図２】
2008226756.tif 000004
【図３】
2008226756.tif 000005
【図４】
2008226756.tif 000006
【図５】
2008226756.tif 000007
【図６】
2008226756.tif 000008
【図７】
2008226756.tif 000009
【図８】
2008226756.tif 000010